(57)【要約】【課題】弁開放時における水の上方への飛散を防止する。【解決手段】加圧された水が導入されたパイプ７ａが内部に鉛直方向に立ち上がるように配置された給水枡３と、給水枡３の内部に設けられた給水バルブ４と、を有する給水装置であって、給水バルブ４は、パイプ７ａの上端開口部に設けられた弁座８と、パイプ７ａの軸線方向に移動して弁座８を開閉する弁体９と、弁体９の開閉を行うハンドル１４を有する操作部６と、を有し、給水バルブ４には、給水バルブの上方を覆うように、飛散防止カバー３０が取り付けられている給水装置。【選択図】図１
2014187967.tif 000002
【特許請求の範囲】
【請求項１】
加圧された水が導入されたパイプが内部に鉛直方向に立ち上がるように配置された給水枡と、
前記給水枡の内部に設けられた給水バルブと、を有する給水装置であって、
前記給水バルブは、前記パイプの上端開口部に設けられた弁座と、前記パイプの軸線方向に移動して前記弁座を開閉する弁体と、前記弁体の開閉を行うハンドルを有する操作部と、を有し、
前記給水バルブには、前記給水バルブの上方を覆うように、飛散防止カバーが取り付けられていることを特徴とする給水装置。
【請求項２】
前記操作部は、前記ハンドルの上方に延在するように、前記ハンドルに着脱自在に取り付けられた副ハンドルを有し、
前記飛散防止カバーは、前記副ハンドルの下方に取り付けられている板状部材であることを特徴とする請求項１に記載の給水装置。
【請求項３】
前記操作部は、前記ハンドルの上方に延在するように、前記ハンドルに着脱自在に取り付けられた副ハンドルを有し、
前記飛散防止カバーは、前記ハンドルに取り付けられている板状部材であることを特徴とする請求項１に記載の給水装置。
【請求項４】
前記飛散防止カバーは、前記板状部材の外周部から下方に延在する円筒部を有することを特徴とする請求項２又は請求項３に記載の給水装置。
【請求項５】
前記給水バルブは、前記弁体を上下動可能に支持するとともに、水の通過を許容するように形成された枠状支持部材を有し、
前記飛散防止カバーは、前記枠状支持部材を覆うとともに、該枠状支持部材の下方を開放するように、該枠状支持部材と一体に設けられていることを特徴とする請求項１に記載の給水装置。
【請求項６】
前記飛散防止カバーは、透明性を有する材料によって形成されていることを特徴とする請求項１から請求項５のいずれか一項に記載の給水装置。
【発明の詳細な説明】
【技術分野】
【０００１】
本発明は、給水装置に関する。
【背景技術】
【０００２】
水田の耕作区に用水を供給するための給水装置としては、例えば特許文献１に記載されているような装置が知られている。この給水装置は、側壁に排水口が設けられている給水枡と、この給水枡内に設けられ、用水を通すための通水パイプである給水パイプに接続された給水バルブと、を有している。
給水バルブは、ハンドルを操作することで給水パイプに接続され給水枡内に鉛直方向に立ち上がったパイプの上端開口部に設けられた弁座と、弁体とを離間させることで、給排水枡内に水を供給するように構成されている。
【先行技術文献】
【特許文献】
【０００３】
【特許文献１】特許第４０９０６７４号公報
【発明の概要】
【発明が解決しようとする課題】
【０００４】
ところで、上記の給水装置においては、弁体を開放する際に水が飛散して、弁操作に支障をきたすことがあることが知られている。特に、給水パイプが地中深い場合、弁体にかかる水圧が高くなるため、飛散する水の勢いが強く、作業員は無理な姿勢を強いられることがある。給水装置に逆流防止のための堰が設けられている場合は、水の飛散は多少軽減されるものの、堰の上方は開放されているため、上方への水飛散をゼロにすることはできない。
【０００５】
また、水の飛散によって、弁の操作時に弁の状態を目視することが難しくなるため、弁の閉鎖時に異物などを噛み込んだり、過剰な力を加えることによって、弁本体を破損したりすることがある。
【０００６】
この発明は、このような事情を考慮してなされたもので、その目的は、弁開放時における水の上方への飛散を防止することができる給水装置を提供することにある。
【課題を解決するための手段】
【０００７】
本発明の給水装置は、加圧された水が導入されたパイプが内部に鉛直方向に立ち上がるように配置された給水枡と、前記給水枡の内部に設けられた給水バルブと、を有する給水装置であって、前記給水バルブは、前記パイプの上端開口部に設けられた弁座と、前記パイプの軸線方向に移動して前記弁座を開閉する弁体と、前記弁体の開閉を行うハンドルを有する操作部と、を有し、前記給水バルブには、前記給水バルブの上方を覆うように、飛散防止カバーが取り付けられていることを特徴とする。
【０００８】
上記構成によれば、飛散防止カバーが取り付けられていることにより、弁開放時における水の上方への飛散を防止することができる。
【０００９】
上記給水装置において、前記操作部は、前記ハンドルの上方に延在するように、前記ハンドルに着脱自在に取り付けられた副ハンドルを有し、前記飛散防止カバーは、前記副ハンドルの下方に取り付けられている板状部材であることが好ましい。
【００１０】
上記構成によれば、副ハンドルがハンドルに着脱自在に取り付けられているため、給水バルブと容易に分離できるため、給水バルブの維持管理を行い易い。
【００１１】
上記給水装置において、前記操作部は、前記ハンドルの上方に延在するように、前記ハンドルに着脱自在に取り付けられた副ハンドルを有し、前記飛散防止カバーは、前記ハンドルに取り付けられている構成としてもよい。
【００１２】
上記構成によれば、飛散防止カバーが、給水バルブの主要部に近い位置に配置されているため、水の飛散をより効果的に防止することができる。
【００１３】
上記給水装置において、前記飛散防止カバーは、前記板状部材の外周部から下方に延在する円筒部を有することが好ましい。
【００１４】
上記構成によれば、飛散防止カバーの円筒部によって、水の側方への飛散が防止されるため、弁開放時時における水の飛散をより効果的に防止することができる。
【００１５】
上記給水装置において、前記給水バルブは、前記弁体を上下動可能に支持するとともに、水の通過を許容するように形成された枠状支持部材を有し、前記飛散防止カバーは、前記枠状支持部材を覆うとともに、該枠状支持部材の下方を開放するように、該枠状支持部材と一体に設けられていることが好ましい。
【００１６】
上記構成によれば、飛散防止カバーが、より給水バルブの主要部に近い位置に配置されているため、水の飛散をより効果的に防止することができる。
【００１７】
上記給水装置において、前記飛散防止カバーは、透明性を有する材料によって形成されていることが好ましい。
【００１８】
上記構成によれば、弁閉鎖時において、弁体と弁座との間に異物などの噛み込みがないか目視にて確認することができる。同様に、弁閉鎖時において、弁の状態を目視にて確認することができるため、過剰な力を加えることで弁が破損することを防止することができる。
【発明の効果】
【００１９】
本発明によれば、飛散防止カバーが取り付けられていることにより、弁開放時における水の上方への飛散を防止することができる。
【図面の簡単な説明】
【００２０】
【図１】本発明の第一実施形態の給水装置を示す断面図である。
【図２】本発明の第一実施形態の給水装置の給水バルブ周辺を示す断面図である。
【図３】本発明の第一実施形態の操作部を示す図であって、（ａ）はハンドルを上方からみた図であり、（ｂ）は副ハンドルを下方からみた図である。
【図４】本発明の第一実施形態の給水装置において、副ハンドルをハンドルに係合する様子を示す図である。
【図５】本発明の第二実施形態の給水装置の給水バルブ周辺を示す断面図である。
【図６】本発明の第三実施形態の給水装置の給水バルブ周辺を示す断面図である。
【図７】本発明の第三実施形態の別形態の給水装置の給水バルブ周辺を示す断面図である。
【図８】本発明の第四実施形態の給水装置の給水バルブ周辺を示す断面図である。
【発明を実施するための形態】
【００２１】
以下、本発明の実施形態の給水装置について、水を水田の耕作区に供給する場合を例として図面を用いて詳細に説明する。
【００２２】
（第一実施形態）
図１に示すように、本実施形態の給水装置１は、用水を通すための通水パイプである給水パイプ２から供給される水を水田の耕作区５０に供給するための装置である。
給水装置１は、農道５１の一側の斜面部分に設けられた給水枡３と、給水枡３の内部に収容された給水バルブ４と、を有している。
【００２３】
給水枡３には、給水枡３内に流入した水を耕作区５０内に排出するための排水口５が設けられている。
給水バルブ４は、給水パイプ２に接続され、給水枡３内で鉛直方向に立ち上がるパイプ本体部７ａ（パイプ）を有するＬ字パイプ７の上端開口部に設けられた弁座８と、パイプ本体部７ａの軸線方向に移動して、弁座８を封鎖、開放自在に設けられた弁体９と、を有している。
【００２４】
弁体９は、弁座８に当接する弁体本体１０と、弁体本体１０より鉛直方向上方に延在する弁軸１１とから構成されている。弁軸１１の外周面には、雄ネジが形成されている。また、弁体９は、弁軸１１の中心軸回りに回転不能となるように枠状支持部材１２と組み合わされている。即ち、弁軸１１を軸回りに回転させる力を加えた場合においても、弁体９は回転しない。
【００２５】
弁座８には、弁体９を支持するための枠状支持部材１２が固定されている。具体的には、枠状支持部材１２は、枠を組み合わせることによって骨組み形状をなしており、開放時にパイプ本体部７ａの上端から供給される水の通過を許容する形状となっている。即ち、給水パイプ２及びＬ字パイプ７を介して供給される水は、給水バルブ４が開放された状態において、枠状支持部材１２によって妨げられることなく、給水枡３に供給される。また、枠状支持部材１２は、その上部において弁軸１１を回転自在に支持している。
なお、枠状支持部材１２は、必ずしも弁座８に固定する必要はなく、Ｌ字パイプ７に固定してもよい。
【００２６】
Ｌ字パイプ７には、給水バルブ４の周囲を覆う逆流防止枡２０が設けられている。逆流防止枡２０は、給水バルブ４の外径より大きな内径を有する筒体２１と、筒体２１の下部に設けられ、Ｌ字パイプ７の外周面に上下動可能に摺接する摺動部２２とから構成されている。逆流防止枡２０は、給水バルブ４の周囲を覆うような状態に引き上げることにより、排水口５から給水枡３内に土砂が流入しても、土砂による給水バルブ４の汚染やＬ字パイプ７内への土砂の逆流を防止できる。
【００２７】
また、給水バルブ４は、弁体９の開閉を行うハンドル１４を有する操作部６を有している。
図２に示すように、ハンドル１４は、枠状支持部材１２の上部に回転自在に取り付けられている。ハンドル１４は、円形の操作部であり、ハンドル１４を回転操作することにより、弁体９を鉛直方向上下に操作可能である。具体的には、弁軸１１がハンドル１４の中央部の貫通孔１５を貫通しており、ハンドル１４の貫通孔１５の内周面に形成された雌ネジと弁軸１１の外周面に形成された雄ネジとが螺合している。
【００２８】
図３（ａ）に示すように、ハンドル１４の上面中央には、上方から見て、正四角形状の外形を有する係合突起１６が弁軸１１を囲うように設けられている。係合突起１６は、係合突起１６の中心が弁軸１１及び貫通孔１５の中心と一致するように形成されている。
【００２９】
再び図１を参照して、操作部６は、ハンドル１４を延長するように、ハンドル１４を上方から操作可能とする副ハンドル２４を有している。副ハンドル２４は、ハンドル１４に着脱自在に取り付け可能となっている。副ハンドル２４は、円筒形状の副ハンドル本体部２５と、副ハンドル本体部２５の一端に設けられた把持部２６と、副ハンドル本体部２５の他端に設けられた係合部２７と、から構成されている。
【００３０】
係合部２７は、ハンドル１４の上面に設けられた係合突起１６と係合可能に形成されている。図３（ｂ）に示すように、係合部２７には、係合突起１６と係合する係合孔２７ａが形成されている。これにより、副ハンドル２４とハンドル１４とは、ハンドル１４の係合突起１６と副ハンドル２４の係合部２７とを係合させることによって、接続することができる。そして、ハンドル１４をハンドル１４の位置より上方から操作して回転させることができる。
【００３１】
また、副ハンドル２４の下部には、飛散防止カバー３０が一体に取り付けられている。飛散防止カバー３０は、上方からみて円形の板状部材である。飛散防止カバー３０は、透明性を有するアクリル樹脂によって形成されている。
【００３２】
飛散防止カバー３０は、支持部材の上方からみた外形よりもやや大きく形成されている。具体的には、上方からみて、支持部材が十分隠れるような大きさとされている。飛散防止カバー３０を形成する材料としては、透明性を有するとともに、アクリル樹脂と同等以上の硬さを有する材料であればアクリル樹脂に限らず、様々な材料を採用することができる。また、飛散防止カバー３０の取り付け位置は、ハンドル１４に干渉しない範囲で、可能な限り下方であることが好ましい。
【００３３】
次に、本実施形態の給水装置１の動作について説明する。ここでは、副ハンドル２４をハンドル１４に取り付け、より高い位置から操作する場合について説明する。
まず、図４に示すように、副ハンドル２４を上方から差し込み、ハンドル１４の係合突起１６と副ハンドル２４の係合部２７とを係合させる。ここで、Ｌ字パイプ７には、給水パイプ２を介して加圧された水が導入されている。
【００３４】
弁開放時において、使用者は副ハンドル２４の把持部２６を回転させる。これにより、副ハンドル２４を介してハンドル１４が回転する。ハンドル１４の回転により、弁軸１１を介して弁体９が上方へ移動し、弁体９と弁座８とが離間し、給水枡３内に水が供給される。ここで、水の圧力が高い場合、水は、弁体９と弁座８とが離間する瞬間に、弁体９と弁座８との間より飛散する。飛散は上方にも及ぶ。また、ハンドル１４の回転により、弁軸１１が鉛直方向上方に上がっていくが、副ハンドル本体部２５は中空構造であるため、弁軸１１と副ハンドル本体部２５が干渉することはない。
【００３５】
上記実施形態によれば、副ハンドル２４に飛散防止カバー３０が取り付けられていることにより、弁開放時における水の上方への飛散を防止することができる。
また、副ハンドル２４は、ハンドル１４に着脱自在に取り付けられているため、給水バルブ４と容易に分離できるため、給水バルブ４の維持管理を行い易い。
【００３６】
また、飛散防止カバー３０が透明性のある材料で形成されていることによって、弁閉鎖時において、弁体９と弁座８との間に異物などの噛み込みがないか目視にて確認することができる。同様に、弁閉鎖時において、弁の状態を目視にて確認することができるため、過剰な力を加えることで弁が破損することを防止することができる。
また、より容易に、既存の給水装置１へ飛散防止カバー３０を取り付けることができる。
【００３７】
次に、本発明の第二実施形態から第四実施形態について説明する。第二実施形態から第四実施形態において、第一実施形態と同一の構成、作用及び効果については同一の符号を付してその説明を省略し、第一実施形態と異なる構成、作用及び効果について説明する。
【００３８】
（第二実施形態）
図５に示すように、本実施形態の飛散防止カバー３０Ｂは、有底円筒形状をなしている。具体的には、飛散防止カバー３０Ｂは、副ハンドル２４に取り付けられた円板部３１と、円板部３１の外周部に接続され、下方に延在する円筒部３２とから構成されている。即ち、飛散防止カバー３０Ｂは、下方のみ開放され、給水バルブ４の上方及び側部を覆うような形状を有している。
【００３９】
上記実施形態によれば、飛散防止カバー３０Ｂの円筒部３２によって、水の側方への飛散が防止されるため、弁開放時時における水の飛散をより効果的に防止することができる。
【００４０】
なお、本実施形態の飛散防止カバー３０Ｂは、その全体が透明性を有する材料によって形成されている必要はなく、少なくとも、上面、即ち円板部３１が透明性を有する材料によって形成されていればよい。
【００４１】
（第三実施形態）
図６に示すように、本実施形態の飛散防止カバー３０Ｃは、枠状支持部材１２と一体に取り付けられている。具体的には、本実施形態の飛散防止カバー３０Ｃは、枠状支持部材１２の上面に枠状支持部材１２と一体に設けられた円板部３１と、円板部３１の外周部に接続され、下方に延在する円筒部３２とから構成されている。そして円板部３１がハンドル１４と枠状支持部材１２との間に挟まれるようにして固定されている。飛散防止カバー３０Ｃは、下方が開放され、枠状支持部材１２の上方を覆うような形状を有している。
【００４２】
上記実施形態によれば、飛散防止カバー３０Ｃが、より給水バルブ４の主要部に近い位置に配置されているため、水の飛散をより効果的に防止することができる。
【００４３】
なお、本実施形態の飛散防止カバー３０Ｃは、枠状支持部材１２の上方のみを覆うように形成されているが、飛散防止カバー３０Ｃは、図７に示すように、枠状支持部材１２の全体を覆うように形成してもよい。
【００４４】
（第四実施形態）
図８に示すように、本実施形態の飛散防止カバー３０Ｄは、第二実施形態の飛散防止カバー３０Ｂをハンドル１４に取り付けたものである。即ち、本実施形態の飛散防止カバー３０Ｄは、ハンドル１４の上面に取り付けられた円板部３１と、円板部３１の外周部に接続され、下方に延在する円筒部３２とから構成されている。
【００４５】
上記実施形態によれば、より容易に飛散防止カバー３０Ｄを、給水バルブ４の主要部に近い位置に配置することができる。
【００４６】
なお、本発明の技術範囲は上記の実施形態に限定されるものではなく、本発明の趣旨を逸脱しない範囲において、種々の変更を加えることが可能である。また、上記複数の実施形態で説明した特徴を任意に組み合わせた構成であってもよい。
【００４７】
例えば、給水パイプの下流側に接続されるパイプは、Ｌ字形状に限ることはない。例えば、給水枡の下方に延在する給水パイプから鉛直方向に立ち上がって給水枡の底板を貫通するパイプでもよい。
【００４８】
また、給水装置は、水田の耕作区に水を供給するのみならず、井戸のポンプなど様々な用途に使用することができる。
【符号の説明】
【００４９】
１  給水装置
２  給水パイプ
３  給水枡
４  給水バルブ
５  排水口
６  操作部
７  Ｌ字パイプ
７ａ  パイプ本体部（パイプ）
８  弁座
９  弁体
１０  弁体本体
１１  弁軸
１２  枠状支持部材
１４  ハンドル
１６  係合突起
２４  副ハンドル
２５  副ハンドル本体部
２６  把持部
２７  係合部
２７ａ  係合孔
３０  飛散防止カバー
３１  円板部
３２  円筒部
【図１】
2014187967.tif 000003
【図２】
2014187967.tif 000004
【図３】
2014187967.tif 000005
【図４】
2014187967.tif 000006
【図５】
2014187967.tif 000007
【図６】
2014187967.tif 000008
【図７】
2014187967.tif 000009
【図８】
2014187967.tif 000010